(57)【要約】【課題】使用者が容易に清掃することができ、高い清掃性ひいては清潔性を得ることが可能な浴室用カウンターを提供する。【解決手段】本発明にかかる浴室用カウンターの構成は、浴室の壁に固定されるブラケットと、ブラケットに着脱可能に支持される棚板とを含み、ブラケットは、上下方向に延びて浴室の壁に固定される柱部と、柱部の上端より下がった位置から手前側に向かって延びるアームと、柱部とアームとの間でアームの上面よりも下方に向かって窪んだ凹部と、を有し、棚板は、下面がアームに当接し上面に物品を載置可能な載置部と、載置部の下面の手前側の端部から壁側に向かって延びる手前側係止部と、載置部の下面の壁側の端部から下方に向かって延びる壁側係止部と、を有し、手前側係止部をアームの前端に係止しながら壁側係止部を凹部内に挿入することにより、棚板がアーム上に着脱可能に取り付けられることを特徴とする。【選択図】図２
2018134227.tif 000002
【特許請求の範囲】
【請求項１】
浴室の壁に固定される２以上のブラケットと、前記ブラケットに着脱可能に支持される棚板とを含む浴室用カウンターであって、
前記ブラケットは、
上下方向に延びて前記浴室の壁に固定される柱部と、
前記柱部の上端より下がった位置から壁から離れる方向である手前側に向かって延びるアームと、
前記柱部と前記アームとの間に設けられ該アームの上面よりも下方に向かって窪んだ凹部と、
を有し、
前記棚板は、
下面が前記アームに当接し上面に物品を載置可能な載置部と、
前記載置部の下面の手前側の端部から壁側に向かって延びる手前側係止部と、
前記載置部の下面の壁側の端部から下方に向かって延びる壁側係止部と、
を有し、
前記手前側係止部を前記アームの前端に係止しながら前記壁側係止部を前記凹部内に挿入することにより、前記棚板が前記アーム上に着脱可能に取り付けられることを特徴とする浴室用カウンター。
【請求項２】
前記柱部の上端には手前側に向かって突出する規制部が形成されていて、
前記凹部の手前側の面と前記壁側係止部の手前側の面とが当接した状態において、前記規制部は前記棚板の壁側の端部に当接することを特徴とする請求項１に記載の浴室用カウンター。
【請求項３】
前記凹部の手前側の面は、前記アームの上面の壁側の端部から下方に向かうにしたがって壁側に傾斜する傾斜面と、該傾斜面の下端から下方に向かって垂直に延びる垂直面とを含むことを特徴とする請求項２に記載の浴室用カウンター。
【発明の詳細な説明】
【技術分野】
【０００１】
本発明は、浴室内に設けられて物品を載置することが可能な浴室用カウンターに関するものである。
【背景技術】
【０００２】
従来から浴室の洗い場には、物品を載置する浴室用カウンターが設けられている（例えば特許文献１）。これにより、浴室で使用する洗面器や小物等の物品を浴室用カウンターに置くことができ、使用者が風呂椅子に座ったままで身体や髪を洗ったりすることが可能となる。特に特許文献１では、浴室の壁に固定した支持材に天板を支持させた浴室用カウンターが開示されている。これによれば、浴室の壁と天板とを離間して配置することにより、それらの間に入隈が生じないため清掃が容易になるとしている。
【先行技術文献】
【特許文献】
【０００３】
【特許文献１】特許第５８６７７９２号
【発明の概要】
【発明が解決しようとする課題】
【０００４】
上述した特許文献１の浴室用カウンターでは、天板がボルト等の締結具によって支持材に固定されるため、天板を支持材から取り外すことができない。したがって、特許文献１の浴室用カウンターは、天板と浴室の壁とが接している浴室用カウンターよりは清掃性に優れているものの、天板の裏側や支持材を清掃する際に使用者は天板の下側に屈むような姿勢を強いられる。このため、特許文献１の浴室用カウンターは、清掃性の観点において更なる改善の余地を有していた。
【０００５】
本発明は、このような課題に鑑み、使用者が容易に清掃することができ、高い清掃性ひいては清潔性を得ることが可能な浴室用カウンターを提供することを目的としている。
【課題を解決するための手段】
【０００６】
上記課題を解決するために、本発明にかかる浴室用カウンターの代表的な構成は、浴室の壁に固定される２以上のブラケットと、ブラケットに着脱可能に支持される棚板とを含む浴室用カウンターであって、ブラケットは、上下方向に延びて浴室の壁に固定される柱部と、柱部の上端より下がった位置から壁から離れる方向である手前側に向かって延びるアームと、柱部とアームとの間に設けられアームの上面よりも下方に向かって窪んだ凹部と、を有し、棚板は、下面がアームに当接し上面に物品を載置可能な載置部と、載置部の下面の手前側の端部から壁側に向かって延びる手前側係止部と、載置部の下面の壁側の端部から下方に向かって延びる壁側係止部と、を有し、手前側係止部をアームの前端に係止しながら壁側係止部を凹部内に挿入することにより、棚板がアーム上に着脱可能に取り付けられることを特徴とする。
【０００７】
上記構成によれば、棚板がブラケットに対して着脱可能である。詳細には、ブラケットは、柱部およびアームを有し、柱部において浴室の壁に固定される。そして、柱部から壁から離れる方向である手前側に向かって延びるアームの上に棚板が着脱可能に取り付けられる。したがって、清掃の際には棚板をブラケットから取り外すことができ、棚板全体を容易に清掃することが可能となる。また棚板を取り外せばブラケットが露出するため、ブラケットの清掃も容易である。これにより、浴室用カウンターにおいて高い清掃性ひいては清潔性を確保することができる。
【０００８】
上記構成では特に、棚板は、手前側係止部および壁側係止部を有する。これにより、棚板は浴室用カウンターの奥行方向の両方でアームに係止される。したがって、棚板をアームに対して容易に着脱可能としつつ、棚板を安定した状態でアームに支持させることが可能となる。
【０００９】
上記柱部の上端には手前側に向かって突出する規制部が形成されていて、凹部の手前側の面と壁側係止部の手前側の面とが当接した状態において、規制部は棚板の壁側の端部に当接するとよい。かかる構成によれば、棚板をアームに取り付けた際に、棚板の壁側の端部は、凹部の手前側の面と壁側係止部の手前側とが当接した状態で、規制部が棚板の壁側の端部に当接する。これにより、荷重による凹部からの壁側係止部の抜けを好適に防止することが可能となる。
【００１０】
上記凹部の手前側の面は、アームの上面の壁側の端部から下方に向かうにしたがって壁側に傾斜する傾斜面と、傾斜面の下端から下方に向かって垂直に延びる垂直面とを含むとよい。かかる構成によれば、棚板に対して手前側に向かって回転する方向の荷重がかかった際に、棚板の壁側係止部の手前側の面が垂直面に係止する。したがって、手前側に向かって回転する方向の力がかかった際の壁側係止部の凹部からの抜けを好適に防ぐことが可能となる。
【発明の効果】
【００１１】
本発明によれば、使用者が容易に清掃することができ、高い清掃性ひいては清潔性を得ることが可能な浴室用カウンターを提供することができる。
【図面の簡単な説明】
【００１２】
【図１】本実施形態にかかる浴室用カウンターを備える浴室を例示する図である。
【図２】本実施形態にかかる浴室用カウンターの全体斜視図である。
【図３】ブラケットの斜視図である。
【図４】ブラケットへの棚板の着脱方法を説明する図である。
【図５】ブラケットへの棚板の位置決めについて説明する図である。
【発明を実施するための形態】
【００１３】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１４】
図１は、本実施形態にかかる浴室用カウンター（以下、カウンター１００と称する）を備える浴室１０２を例示する図である。図１に示すように、浴室１０２には、使用者が入浴する浴槽１０４が設けられていて、浴槽１０４には洗い場１０８が隣接して設けられている。また浴室１０２には、洗顔や洗髪の際に用いられる水栓１０６が設けられている。本実施形態のカウンターは、浴室の壁１０２ａに設置されている。
【００１５】
図２は、本実施形態にかかるカウンター１００の全体斜視図である。図２（ａ）は、カウンター１００を組み立てた状態を示していて、図２（ｂ）は、カウンター１００を分解した状態を示している。
【００１６】
図２（ａ）および（ｂ）に示すように、本実施形態のカウンター１００は、浴室１０２の壁１０２ａ（図１参照）に固定される２つのブラケット１２０、およびブラケット１２０に着脱可能に支持される棚板１１０を含んで構成される。なお、本実施形態では、カウンター１００が２つのブラケット１２０を備える構成を例示するが、これに限定するものではなく、ブラケット１２０の数は２つ以上であれば適宜変更することが可能である。
【００１７】
図３は、ブラケット１２０の斜視図である。図３に示すように、ブラケット１２０は、柱部１２２、アーム１２４および凹部１２６を含んで構成される。柱部１２２は、上下方向に延びる部位である。柱部１２２は、ネジ等の固定具（不図示）によって浴室１０２の壁１０２ａに固定される。アーム１２４は、柱部１２２の上端より下がった位置で壁１０２ａから離れる方向（以下、手前側と称する）に向かって延びる部位であり、棚板１１０を着脱可能に支持する。凹部１２６は、柱部１２２とアーム１２４との間に設けられ、アーム１２４の上面１２４ａよりも下方に向かって窪んでいる。
【００１８】
図２（ｂ）に示すように、棚板１１０は、載置部１１２、手前側係止部１１４および壁側係止部１１６を含んで構成される。載置部１１２は、上面１１２ａに物品（不図示）を載置可能な領域である（図４（ａ）参照）。棚板１１０をブラケット１２０に取り付けた状態において、棚板１１０の下面１１２ｂがアーム１２４の上面１２４ａに当接する（図４（ｂ）参照）。手前側係止部１１４は、載置部１１２の下面１１２ｂの手前側の端部から壁側に向かって延びている。壁側係止部１１６は、載置部１１２の下面１１２ｂの壁側の端部から下方に向かって延びている。
【００１９】
更に本実施形態では、図２（ａ）および（ｂ）に示すように、カウンター１００は、棚板１１０の側面に取り付けられるキャップ部材１３０を備える。キャップ部材１３０は、棚板１１０の幅方向の端面を覆う被覆部１３２と、被覆部１３２から端面に対向する方向に立設するガイド部１３４ａ・１３４ｂとを含んで構成される。
【００２０】
キャップ部材１３０は、ブラケット１２０に取り付けられる前の状態の棚板１１０に取り付けられる。このとき、キャップ部材１３０において棚板１１０の奥行方向に一対に設けられているガイド部１３４ａ・１３４ｂを、棚板１１０の手前側係止部１１４と壁側係止部１１６との間に挿入することにより、棚板１１０の端面がキャップ部材１３０の被覆部１３２によって被覆される。したがって、棚板１１０ひいてはカウンター１００の美観を高めることができる。
【００２１】
次に、図４を参照しながら棚板１１０へのブラケット１２０の着脱方法について説明する。図４は、ブラケット１２０への棚板１１０の着脱方法を説明する図であり、ブラケット１２０および棚板１１０を側方から観察した状態を示している。なお、理解を容易にするために、図４では棚板１１０の端面に取り付けられるキャップ部材１３０を不図示としている。
【００２２】
まず上述したように棚板１１０の幅方向の両側の端面にキャップ部材１３０を取り付ける。そして、図４（ａ）に示すように、棚板１１０を手前側に傾けた状態で、手前側係止部１１４をアーム１２４の前端に係止する。
【００２３】
次に、手前側係止部１１４をアーム１２４の前端に係止した状態で棚板１１０を壁側に向かって倒すことにより、壁側係止部１１６をブラケット１２０の凹部１２６内に挿入する。これにより、図４（ｂ）に示すように棚板１１０が手前側係止部１１４および壁側係止部１１６においてブラケット１２０に支持され、棚板１１０がアーム１２４上に取り付けられる。このように、手前側係止部および壁側係止部によって棚板がカウンターの奥行方向の両方でアームに係止されることにより、安定性を高めることが可能となる。
【００２４】
棚板１１０をブラケット１２０から取り外す際には、取り付けた際の手順と逆に、棚板１１０の壁側を手前側に向かって引き上げて傾けた状態とし、凹部１２６から壁側係止部１１６を引き出す。そして、棚板を手前側に引き出して手前側係止部１１４とアーム１２４の先端との係合を解除することにより、棚板１１０がブラケット１２０から取り外される。
【００２５】
上記説明したように、本実施形態のカウンター１００によれば、棚板１１０がブラケット１２０に対して着脱可能であり、その取り外し作業も容易である。したがって、清掃の際には棚板１１０をブラケット１２０から取り外し、棚板１１０全体を清掃することができる。また棚板１１０を取り外せばブラケット１２０が露出するため、ブラケット１２０の清掃も容易である。これにより、カウンター１００において高い清掃性ひいては清潔性を確保することができる。
【００２６】
特に本実施形態では、図３および図４（ａ）〜（ｃ）に示すように、柱部１２２の上端には手前側に向かって突出する規制部１２８が形成されている。そして、図４（ｂ）に示すように棚板１１０をブラケット１２０に取り付けると、凹部１２６の手前側の凹部手前側面１２６ａと壁側係止部１１６の手前側の係止部手前側面１１６ａとが当接した状態において、規制部１２８が棚板１１０の壁側の端部に当接する。これにより、壁側係止部１１６は、凹部１２６の手前側の凹部手前側面１２６ａおよび規制部１２８によって挟まれた状態となる。したがって、荷重による凹部１２６からの壁側係止部１１６の抜けを好適に防止することが可能となる。
【００２７】
図４（ｃ）は、図４（ｂ）の一点鎖線四角内の拡大図である。図４（ｃ）に示すように、本実施形態では、凹部１２６の手前側の凹部手前側面１２６ａは、傾斜面１２６ｂおよび垂直面１２６ｃを含んで構成される。傾斜面１２６ｂは、アーム１２４の上面１２４ａの壁側の端部から下方に向かうにしたがって壁側に傾斜する面である。垂直面１２６ｃは、傾斜面１２６ｂの下端から下方に向かって垂直に延びる面である。このとき、壁側係止部１１６の手前側の係止部手前側面１１６ａは、傾斜面１２６ｂおよび垂直面１２６ｃに接するように略くの字状に屈曲している。
【００２８】
上記構成によれば、棚板１１０に対して手前側に向かって回転する方向の荷重がかかった際に、棚板１１０の壁側係止部１１６の手前側の係止部手前側面１１６ａが垂直面１２６ｃに係止する。これにより、手前側に向かって回転する方向の力がかかった際の壁側係止部１１６の凹部１２６からの抜けをより好適に防ぐことが可能となる。
【００２９】
図５は、ブラケット１２０への棚板１１０の位置決めについて説明する図であり、棚板１１０およびブラケット１２０を上方から観察した状態を図示している。なお、理解を容易にするために、図５では、ブラケット１２０のうち棚板１１０によって観察できない部分、および棚板１１０によって隠れるガイド部１３４ａ・１３４ｂを破線にて図示している。
【００３０】
上述したように、本実施形態のカウンターは、棚板１１０に取り付けられるキャップ部材１３０を備え、キャップ部材１３０にはガイド部１３４ａ・１３４ｂが設けられている。そして、図２（ｂ）および図５（ａ）に示すように、本実施形態では特に、手前側の１３４ａの内側の縁１３６ａを、手前側に向かうにしたがって棚板１１０の幅方向の内側に向かうように傾斜させている。
【００３１】
棚板１１０をブラケット１２０に取り付ける際には、図５（ａ）に示すように、ブラケット１２０に対する棚板１１０の位置が幅方向において多少ずれることが生じうる。このような場合において、本実施形態のように手前側のガイド部１３４ａの内側の縁１３６ａが傾斜していることにより、図５（ａ）に示すように幅方向の位置がずれた状態から棚板１１０を壁側に向かって移動させると、ガイド部１３４ａの縁１３６ａがアーム１２４に沿ってスライドし、図５（ｂ）に示すように棚板１１０がブラケット１２０に対して位置決めされる。したがって、多少の位置ずれがあった場合であっても棚板１１０をブラケット１２０に対して好適に取り付けることが可能となる。
【００３２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３３】
本発明は、浴室内に設けられて物品を載置することが可能な浴室用カウンターに利用することができる。
【符号の説明】
【００３４】
１００…カウンター、１０２…浴室、１０２ａ…壁面、１０４…浴槽、１０６…水栓、１０８…洗い場、１１０…棚板、１１２…載置部、１１２ａ…上面、１１２ｂ…下面、１１４…手前側係止部、１１６…壁側係止部、１１６ａ…係止部手前側面、１２０…ブラケット、１２２…柱部、１２４…アーム、１２４ａ…上面、１２６…凹部、１２６ａ…凹部手前側面、１２６ｂ…傾斜面、１２６ｃ…垂直面、１２８…規制部、１３０…キャップ部材、１３２…被覆部、１３４ａ…ガイド部、１３４ｂ…ガイド部、１３６ａ…縁
【図１】
2018134227.tif 000003
【図２】
2018134227.tif 000004
【図３】
2018134227.tif 000005
【図４】
2018134227.tif 000006
【図５】
2018134227.tif 000007